(57)【要約】      （修正有）【課題】ワンタッチ操作によって容易に、吐水状態を切り換えることができる水栓のヘッドを提供する。【解決手段】それぞれ異なる状態の吐水を行なう複数の吐水口１０Ａ，１０Ｂ，１０Ｃに連通する吐水流路２０Ａ，２０Ｂ，２０Ｃを択一的に給水流路２７に連通させる流路切替え用の弁機構と、操作部３０の上下方向の傾動によって弁機構を操作する操作レバー１１とを備え、前記弁機構が各吐水流路に連通すると共に直線状に複数配置された円形の開口２２Ａ〜２２Ｃを形成してなる弁座２１と、これらの開口よりも大きな径を有しこの開口を封鎖する球状の弁体２３Ａ〜２３Ｃと、各弁体の側部において開口が並ぶ方向に沿って配置された操作軸２４と、この操作軸上に配置されてその回転によって弁体を開口から離間させるように横方向に変位させる複数のカム２５Ａ〜２５Ｃと、これらのカムによって変位させられた弁体を開口に嵌合する位置に戻すように付勢する弁体用弾性体２６Ａ〜２６Ｃとからなる。【選択図】図３
2005232734.tif 000002
【特許請求の範囲】
【請求項１】
それぞれ異なる状態の吐水を行なう複数の吐水口と、各吐水口に連通する吐水流路を択一的に給水流路に連通させる流路切替え用の弁機構と、操作部の上下方向の傾動によって弁機構を操作する操作レバーとを備え、
前記弁機構が各吐水流路に連通すると共に直線状に複数配置された円形の開口を形成してなる弁座と、これらの開口よりも大きな径を有し各開口にそれぞれ嵌合することによりこの開口を封鎖する球状の弁体と、各弁体の側部において開口が並ぶ方向に沿って配置された操作軸と、この操作軸上に配置されてその回転によって弁体の側部に当接して弁体を押すことにより弁体を開口から離間させるように横方向に変位させる複数のカムと、これらのカムによって変位させられた弁体を開口に嵌合する位置に戻すように付勢する弁体用弾性体とからなることを特徴とする水栓のヘッド。
【請求項２】
一つの弁体に対応するカムが操作軸を中心に１８０°の位相差を有する２つの突出部を有する形状であり、
前記操作軸を６０°回転させる毎に、カムの先端部が弁体に当接して弁体を開口から離間させるように変位させる第１状態と、開口に嵌合する弁体がカムの一面に当接または近接する第２状態と、開口に嵌合する弁体がカムの他面に当接または近接する第３状態とに切替えられるように構成し、かつ、
前記弁体が少なくとも３個あり、各弁体に対応するカムが互いに６０°ずつ異なる位相に配置してあることにより、これらのカムのうち１つが第１状態であり対応する弁体が弁座から離間している状態で、別のカムが第２状態でありカムの一面が弁体に当接することにより操作軸の一方向への回転を規制すると共に、別のカムが第３状態でありカムの他面が弁体に当接することにより操作軸の他方向への回転を規制する請求項１に記載の水栓のヘッド。
【請求項３】
前記弁体がカムによって変位させられた位置において、弁体の位置を保つ側壁が設けられ、前記弁体用弾性体が、変位させられた弁体の中心を通る前記弁座表面に対する垂線よりも開口から離れた位置から弁体を開口の方向に押しつけるように配置してなるコイルばねである請求項１または２に記載の水栓のヘッド。
【請求項４】
前記操作レバーを上方向に付勢するためのレバー用弾性体と、操作レバーの下方向の傾動に伴って前記操作軸を回転させるように回転力を伝達するための操作ギアと、操作レバーの上方向の傾動に伴う回転力を操作ギアに伝達しないようにする一方向クラッチとを設けてある請求項１〜３の何れかに記載の水栓のヘッド。
【請求項５】
前記操作軸の回転に連動して回転する表示筒と、この表示筒の一部を外部から確認可能とする動作確認窓とを有する請求項１〜４の何れかに記載の水栓のヘッド。
【発明の詳細な説明】
【技術分野】
【０００１】
本発明は、水栓のヘッドに関するものであり、たとえば吐水状態を容易に切り換えることができる台所用の水栓のヘッドに関する。
【背景技術】
【０００２】
図７は、吐水状態を変更可能に構成された水栓のヘッドの一つとして、特許文献１によって提案されたヘッドの構成を示している。図７において、９０は異なる状態の吐水を行なう複数の吐水口９１，９２を有する吐水口本体（ヘッド）であり、このヘッド９０には各吐水口９１，９２にそれぞれ連通する２つの吐水流路９３，９４と、給水管に連通する給水路９５と、吐水流路９３，９４に連通する開口９６ａ，９６ｂを形成してなる弁座９６と、この開口９６ａ，９６ｂの何れか一方を塞ぐように弁座９６に嵌合する球状の弁体９７とを有している。
【０００３】
また、９８は軸芯９８ａを中心に左右方向に傾動することにより、弁体９７の位置を変えるための弁体保持部材であり、９８ｂはヘッド９０の外部からこの弁体保持部材９８を傾動するための操作部、９８ｃは前記弁体９７を掴むように保持すると共に弁体保持部材９８の傾動に伴って弁体９７を左右方向に移動させるように構成された弁体保持部である。すなわち、使用者は操作部９８ｂを左右に傾動させるように操作することにより、弁体９７の位置を変えて、ヘッド９０からの水の吐水状態を切り換えることができる。
【特許文献１】特開２０００−１７０２２４公報
【発明の開示】
【発明が解決しようとする課題】
【０００４】
ところが、上述のヘッド９０で水の吐水状態を切り換えるためには操作部９８ｂを左右方向に傾動させる必要があるので、操作性が悪いという問題があった。特に、台所用水栓の多くは、水栓自体が左右方向に回動自在に構成されているので、前記ヘッド９０が台所用水栓に形成されている場合に、使用者が操作部９８ｂの左右方向への傾動を行うためには、ヘッド９０の位置を固定しながら操作部９８ｂを操作する必要が生じていた。とりわけ、台所作業の最中は手が汚れているなどして、自由に手を使うことができないことがあるので、吐水状態の切替えに手間がかかることは好ましくなかった。
【０００５】
本発明は、上述の事柄を考慮に入れてなされたものであって、その目的は、使用者が手を自由に使うことができないような状態であっても、ワンタッチ操作によって容易に、吐水状態を切り換えることができる水栓のヘッドを提供することにある。
【課題を解決するための手段】
【０００６】
上記目的を達成するため、第１発明の水栓のヘッドは、それぞれ異なる状態の吐水を行なう複数の吐水口と、各吐水口に連通する吐水流路を択一的に給水流路に連通させる流路切替え用の弁機構と、操作部の上下方向の傾動によって弁機構を操作する操作レバーとを備え、前記弁機構が各吐水流路に連通すると共に直線状に複数配置された円形の開口を形成してなる弁座と、これらの開口よりも大きな径を有し各開口にそれぞれ嵌合することによりこの開口を封鎖する球状の弁体と、各弁体の側部において開口が並ぶ方向に沿って配置された操作軸と、この操作軸上に配置されてその回転によって弁体の側部に当接して弁体を押すことにより弁体を開口から離間させるように横方向に変位させる複数のカムと、これらのカムによって変位させられた弁体を開口に嵌合する位置に戻すように付勢する弁体用弾性体とからなることを特徴としている。（請求項１）
【０００７】
一つの弁体に対応するカムが操作軸を中心に１８０°の位相差を有する２つの突出部を有する形状であり、前記操作軸を６０°回転させる毎に、カムの先端部が弁体に当接して弁体を開口から離間させるように変位させる第１状態と、開口に嵌合する弁体がカムの一面に当接または近接する第２状態と、開口に嵌合する弁体がカムの他面に当接または近接する第３状態とに切替えられるように構成し、かつ、前記弁体が少なくとも３個あり、各弁体に対応するカムが互いに６０°ずつ異なる位相に配置してあることにより、これらのカムのうち１つが第１状態であり対応する弁体が弁座から離間している状態で、別のカムが第２状態でありカムの一面が弁体に当接することにより操作軸の一方向への回転を規制すると共に、別のカムが第３状態でありカムの他面が弁体に当接することにより操作軸の他方向への回転を規制してもよい（請求項２）。
【０００８】
前記弁体がカムによって変位させられた位置において、弁体の位置を保つ側壁が設けられ、前記弁体用弾性体が、変位させられた弁体の中心を通る前記弁座表面に対する垂線よりも開口から離れた位置から弁体を開口の方向に押しつけるように配置してなるコイルばねであってもよい（請求項３）。
【０００９】
前記操作レバーを上方向に付勢するためのレバー用弾性体と、操作レバーの下方向の傾動に伴って前記操作軸を回転させるように回転力を伝達するための操作ギアと、操作レバーの上方向の傾動に伴う回転力を操作ギアに伝達しないようにする一方向クラッチとを設けてあってもよい（請求項４）。
【００１０】
前記操作軸の回転に連動して回転する表示筒と、この表示筒の一部を外部から確認可能とする動作確認窓とを有しもよい（請求項５）。
【発明の効果】
【００１１】
請求項１に記載の水栓のヘッドは、操作レバーを上下方向に傾動することにより弁機構を切換え操作して異なる吐水を行なうことができるので、使用者は吐水状態を容易に切り換えることができる。特に、台所用水栓は水栓自体が左右方向に傾動可能に構成されることがあるが、上下方向には傾かないものが多いので、使用者は片手のワンタッチ操作によって吐水状態を切り換えることができる。
【００１２】
また、前記弁機構が弁体をその側面から押すことにより、弁体を開口から離間させるように構成されているので、少ない力で弁体を閉状態から開状態に切り換えることができる。つまり、操作レバーの操作を軽く行なうことができる。
【００１３】
一つの弁体に対応するカムが操作軸を中心に１８０°の位相差を有する２つの突出部を有する形状であり、前記操作軸を６０°回転させる毎に、カムの先端部が弁体に当接して弁体を開口から離間させるように変位させる第１状態と、開口に嵌合する弁体がカムの一面に当接または近接する第２状態と、開口に嵌合する弁体がカムの他面に当接または近接する第３状態とに切替えられるように構成し、かつ、前記弁体が少なくとも３個あり、各弁体に対応するカムが互いに６０°ずつ異なる位相に配置してあることにより、これらのカムのうち１つが第１状態であり対応する弁体が弁座から離間している状態で、別のカムが第２状態でありカムの一面が弁体に当接することにより操作軸の一方向への回転を規制すると共に、別のカムが第３状態でありカムの他面が弁体に当接することにより操作軸の他方向への回転を規制する場合（請求項２）には、３つの吐水状態を順次切り換えることができると共に、カムと弁体の当接によって切り換えた状態を安定保持することができるので、動作状態を安定させるための特別な機構を必要としておらず、それだけ構成を簡素にして製造コストを削減できるだけでなく、堅牢性を向上できる。
【００１４】
前記弁体がカムによって変位させられた位置において、弁体の位置を保つ側壁が設けられ、前記弁体用弾性体が、変位させられた弁体の中心を通る前記弁座表面に対する垂線よりも開口から離れた位置から弁体を開口の方向に押しつけるように配置してなるコイルばねである場合（請求項３）には、極めて簡単な構成でありながら弁体の移動範囲を限定してその動作を安定させることができる。
【００１５】
前記操作レバーを上方向に付勢するためのレバー用弾性体と、操作レバーの下方向の傾動に伴って前記操作軸を回転させるように回転力を伝達するための操作ギアと、操作レバーの上方向の傾動に伴う回転力を操作ギアに伝達しないようにする一方向クラッチとを設けてある場合（請求項４）には、使用者が操作部を下方向に押し下げる一回の操作によって前記弁機構を切り換えることができ、使用者が操作レバーから手を離すと、操作レバーがレバー用弾性体の弾性力によって元の位置に復帰する。つまり、使用者は常に操作レバーを下方向に押し下げる操作をすることにより吐水状態の切換えを行なうことができるので操作性が良い。
【００１６】
前記操作軸の回転に連動して回転する表示筒と、この表示筒の一部を外部から確認可能とする動作確認窓とを有する場合（請求項５）には、動作確認窓から表示筒の部分を見ることにより弁機構の状態を外部から確認することが可能であるから、使い勝手がよい。
【発明を実施するための最良の形態】
【００１７】
図１は、本発明の実施例であるヘッド１を取り付けてなる台所用の湯水混合栓の全体的な構成を示す図である。図１に示す湯水混合栓２は、台所用の湯水混合栓の一例としてのシングルレバー式の湯水混合栓であって、この湯水混合栓２は、冷水を供給する給水管３と、温水を供給する給湯管４と、左右方向の傾動によって温度を調節し上下方向の傾動によって水量を調節する操作ハンドル５と、給水管３および給湯管４から供給される湯水を操作ハンドル５の操作に応じて適宜混合して得られる混合水を供給する可撓管６とを有している。
【００１８】
また、７は左右方向に回動自在に構成された鞘管であって、この鞘管７内に前記可撓管６を通した状態でこの可撓管６の先端部に本実施例のヘッド１を形成してある。このヘッド１は複数の吐水状態を得ることができる吐水口１０と、この吐水口１０の吐水状態を切換え可能に構成された操作レバー１１と、吐水口１０の状態を確認できる動作確認窓１２とを有する。そして、ヘッド１は、例えば鞘管７の先端部７ａに連結させた状態と、これを手に持って可撓管６を引き出した状態の何れでも使用できるように構成してある。
【００１９】
図２〜４は本実施例のヘッド１の構成を示す断面図であり、図２は可撓管６を流れる混合水の下流側から見たヘッド１の構成を示す正面図、図３は側面図、図４は平面図である。
【００２０】
図２，３に示すように、本実施例のヘッド１に形成した吐水口１０は、それぞれ異なる状態の吐水を行なう複数の吐水口１０Ａ〜１０Ｃを有し、ヘッド１内には各吐水口１０Ａ〜１０Ｃに連通する３つの吐水流路２０Ａ〜２０Ｃを形成してある。
【００２１】
詳細には、中央部の直水の吐水口１０Ａの周りにこれを囲むようにソフトシャワー吐水口１０Ｂと、シャワー吐水口１０Ｃとを形成してあり、直放水の吐水口１０Ａに連通する吐水流路２０Ａの周りに、ソフトシャワー吐水口１０Ｂに連通する環状の吐水流路２０Ｂと、さらに、その外周においてシャワー吐水口１０Ｃに連通する環状の吐水流路２０Ｃとを形成している。
【００２２】
加えて、吐水流路２０Ａと吐水流路２０Ｂとの間に、大気に連通する環状の空間部１０Ｄを形成し、吐水流路２０Ｂの流路途中に、吐水流路２０Ｂの周方向に所定の間隔を隔てて絞り流路２０Ｂａを形成し、かつ、前記空間部１０Ｄを前記絞り流路２０Ｂａの直下流側に連通させる外気導入流路２０Ｂｂを、空間部１０Ｄまわりに所定の間隔を隔てて形成してある。つまり、絞り流路２０Ｂａによって水の流速を上げて、外気をその直下に形成された外気導入流路２０Ｂｂに引き込むことにより、均一な外気導入を達成できる。
【００２３】
したがって、使用者はこのヘッド１を吐水状態を切り換えることにより、吐水口１０Ａを用いた直放水状態と、吐水口１０Ｂを用いたソフトなシャワー吐水状態と、吐水口１０Ｃを用いた通常のシャワー吐水状態を切り換えられるように構成している。
【００２４】
図２，４に示す２１は弁座であり、この弁座２１には前記吐水流路２０Ａ〜２０Ｃにそれぞれ連通すると共に直線上に並べて配置された円形の開口２２Ａ〜２２Ｃを形成している。２３Ａ〜２３Ｃは各開口２２Ａ〜２２Ｃよりも大きな径を有すると共に、各開口２２Ａ〜２２Ｃのそれぞれに嵌合することにより、この開口２２Ａ〜２２Ｃを封鎖する球状の弁体である。また、図３，４に示す２４は前記開口２２Ａ〜２２Ｃが並ぶ方向に沿って平行に配置された操作軸であり、この操作軸２４には、この操作軸２４の回転によって弁体２３Ａ〜２３Ｃの側部に当接してそれぞれ一つの弁体２３Ａ〜２３Ｃを押すことにより弁体２３Ａ〜２３Ｃを横方向に変位させるカム２５Ａ〜２５Ｃを形成してある。さらに、図２，３に示す２６Ａ〜２６Ｃは、カム２５Ａ〜２５Ｃによって変位させられた弁体２３Ａ〜２３Ｃを開口２２Ａ〜２２Ｃに嵌合する位置に戻すように付勢する弁体用コイルばね（弁体用弾性体）である。また、２７は可撓管６に連通連結される給水流路である。
【００２５】
つまり、本実施例のヘッド１において、前記開口２２Ａ〜２２Ｃを有する弁座２１、弁体２３Ａ〜２３Ｃ、操作軸２４、カム２５Ａ〜２５Ｃおよび弁体用コイルばね２６Ａ〜２６Ｃが、各吐水口１０Ａ〜１０Ｃを択一的に給水流路２７に連通させる流路切替え用の弁機構２８を構成する。
【００２６】
また、前記操作レバー１１はヘッド１の外形に合わせて円弧状の形状を有し、その両端部が枢支部１１ａにおいて枢支されることにより操作部３０を上下方向に約３０°傾斜するように回動可能に構成されている。図３に示す３１は操作部３０の当たり部であり、図２，４に示す３２は前記操作レバー１１を上方向に付勢するためのレバー用コイルばね（レバー用弾性体）、３３は操作レバー１１の下方向の傾動に伴う回転力をだけを伝達するように構成された一方向クラッチ、３４は操作レバー１１の下方向の傾動に伴う回転を前記操作軸２４に伝達するためのレバー側操作ギア、図３，４に示す３５はこのレバー側操作ギア３４に嵌合することにより回転力を操作軸２４に伝達させる弁側操作ギアである。
【００２７】
したがって、使用者は操作レバー１１の操作部３０を下方向に押し下げるように操作することにより、前記弁機構２８の切替えを行なうことができる。また、使用者が操作レバー１１から手を離すことにより、操作レバー１１だけが元の位置に戻るように構成している。なお、操作レバー１１がレバー用コイルばね３２の弾性力によって上方向に戻るときにはその回転力が前記操作ギア３４，３５に伝達されることがない。
【００２８】
図５は弁機構６および操作レバー１１の傾動に伴う回転力の伝達機構の構成の詳細を説明する図である。図５に示すように、前記一方向クラッチ３３は例えば操作レバー１１の枢支部１１ａにおいて、操作レバー１１側に軸芯方向に摺動自在に取り付けられた中間伝達体３ａと、この中間伝達体３３ａを前記レバー側操作ギア３４に押しつけるように付勢する弾性体３３ｂと、クラッチ本体３３ｃとを有している。
【００２９】
また、前記レバー側操作ギア３４の半径ｒ1 は弁側操作ギア３５の半径ｒ2 の２倍である。したがって、操作レバー１１を３０°傾斜させるだけで、操作軸２４を６０°回転させることができる。
【００３０】
一方、図３，４に示す３６は前記レバー側操作ギア３４に嵌合することにより、操作軸２４の回転に連動して回転する表示用連動ギアであり、３７はこの連動ギア３６と一体的に回転する表示筒である。この連動ギア３６はレバー側操作ギア３４の半径ｒ1 と同じであるから、表示筒３７の回転状態は操作軸２４の回転状態をそのまま反映する。また、表示筒３７の外周には６０°毎に操作軸２４の状態を示す表示を施すことにより、動作確認窓１２から操作軸２４の状態を確認できるように構成している。
【００３１】
再び図５に戻り、操作軸２４に形成される各カム２５Ａ〜２５Ｃは、操作軸２４を中心に１８０°の位相差を有する２つの突出部２５Ａａ〜２５Ｃａ，２５Ａｂ〜２５Ｃｂ（図５において突出部２５Ｃｂは操作軸２４の裏側に位置する）を有する形状であり、隣合うカム２５Ａ，２５Ｂおよび２５Ｂ，２５Ｃの間には、弁体２３Ａ〜２３Ｃが横方向にずれないようにするためのフランジ状の障壁２４ａを形成している。
【００３２】
図６は前記弁機構２８の動作の詳細を説明する図である。なお、図６において、開口２２Ａ〜２２Ｃ、弁体２３Ａ〜２３Ｃ、カム２５Ａ〜２５Ｃ、弁体用コイルばね２６Ａ〜２６Ｃを、それぞれ、開口２２、弁体２３、カム２５、弁体用コイルばね２６とも表現する。図６（Ａ）〜６（Ｃ）は操作軸２４を６０°回転させる毎に生じる状態を示しており、図６（Ｄ）は操作軸２４の回転が６０°毎に安定することを説明する図である。
【００３３】
図６（Ａ）はカム２５の先端部２５ａが弁体２３に当接して弁体２３を開口２２から離間させるように変位させる第１状態を示し、図６（Ｂ）は開口２２に嵌合する弁体２３がカム２５の一面２５ｂに当接または近接する第２状態を示し、図６（Ｃ）は開口２２に嵌合する弁体２３がカム２３の他面２５ｃに当接または近接する第３状態を示している。
【００３４】
まず、図６（Ａ）に示すように、第１状態では開口２２が開状態となるので、この開口２２が連通する流路が吐水状態となる。この第１状態は、図６（Ｂ）に示す第３状態から操作軸２４を図示時計回りに６０°回転させることにより得られ、この操作は図５に示すように、操作レバー１１を３０°下方向に傾動させる操作に連動して生じる。
【００３５】
また、本発明では、操作軸２４が第３状態から時計回りに回転するときに、カム２５の先端部２５ａが弁体２３の側部に当たって、これを横方向に押すようにして、弁体２３を開口２２から離間させるように構成している。
【００３６】
つまり、弁体２３を開口２２から離間させるときに水の流れに逆らう方向にこれを押すのではなく、むしろ、一度開口２２が開きはじめると、水の流れを幾らか利用して弁体２３を変位させることができる。したがって、操作軸２４の回転に大きな力を必要としておらず、使用者は操作レバー１１を軽く操作するだけで、その吐水状態を容易に切り換えることができる。
【００３７】
また、４０は、第１状態における弁体２４の横方向の移動範囲を規制するための側壁である。そして、前記弁体用コイルばね２６が、弁体２３の中心Ｏを通り、弁座２１の表面に対する垂線Ｌ1 よりも開口２２から離れた位置Ｐから弁体２３を開口２２の方向に付勢するように配置してある。つまり、側壁４０が、カム２５によって変位させられた弁体２３の位置を規制することにより、弁体２３は弁体用コイルばね２６の弾性力を適正に受けて、弁体２３を開口２２に嵌合する位置に戻すことができる。
【００３８】
なお、本例において、弁体用コイルばね２６は弁座２１の表面に対して垂直の方向から、弁体２３を押圧するように配置しており、これによって前記表示筒３７のための空間を確保することを可能としているが、この弁体用コイルばね２６を図示斜め左上から弁体２３を押圧するように配置してもよい。
【００３９】
前記第１状態において、使用者が操作レバー１１を押し下げ操作すると、弁機構２８は図６（Ｂ）に示す第２状態に切り換わる。このとき、弁体用コイルばね２６の力によって、弁体２３は再び開口２２に嵌合し、この開口２２に連通する吐水流路への水の流れを止めることができる。また、弁体２３はカム２５の一面２５ｂおよび操作軸２４に当接または近接する位置にあるので、弁体２３が開口２２よりもさらに右側に外れてしまうことを確実に防止できる。同時に、操作軸２４が図示反時計周り（一方向）に回転しようとしても、弁体２３がカム２５の一面２５ａに当たるので、これが図示反時計周りに回転することを確実に阻止することができる。
【００４０】
前記第２状態において、使用者が再び操作レバー１１を押し下げ操作すると、弁機構２８は図６（Ｃ）に示す第３状態に切り換わる。開口２２は封鎖したままであり、弁体２３はカム２５の他面２５ｃおよび操作軸２４に当接または近接する位置にある。したがって、弁体２３が開口２２よりもさらに右側に外れてしまうことを確実に防止できると同時に、操作軸２４が図示時計周りに回転しようとしても、弁体２３がカム２５の他面２５ｂに当たるので、操作軸２４が図示時計周り（他方向）に回転することに所定の抵抗を設けて、この方向への回転を阻止することができる。
【００４１】
そして、本実施例において、前記カム２５Ａ〜２５Ｃは互いに６０°ずつ異なる位相に配置してある。したがって、これらのカム２５Ａ〜２５Ｃのうち１つが図６（Ａ）に示す第１状態であるとき、残りの２つのカムは図６（Ｂ），６（Ｃ）に示す第２状態および第３状態である。本実施例の水栓のヘッド１は、これによって前記６０°ずつ操作軸２４の回転を確実で安定的に行えるようにしている。
【００４２】
図６（Ｄ）には、第１状態のカム２５および弁体２３を仮想線で表わし、第２状態および第３状態のカム２５および弁体２３を実線および一点鎖線で表わしている。ここで、仮想線で表わしているように、一つのカムが第１状態にある時、弁体用コイルばね２６の付勢によって弁体２３が開口２２の位置に戻ろうとするので、カム２５の先端部２５ａには、僅かに図示反時計周りの方向に、幾らかの回転力が発生する。
【００４３】
しかしながら、別のカム２５の一面２５ａが実線で示されているように、弁体２３に当接して、図示反時計周り方向の回転を確実に阻止できる。また、何らかの外乱によって、仮に操作軸２４に図示時計周り方向の回転力が加わったとしても、さらに別のカム２５の他面２５ｂが一点鎖線で示されているように、弁体２３に当接して、図示時計周り方向の回転に抵抗を持たせているので、この方向の回転も阻止することが可能である。
【００４４】
したがって、本実施例では操作軸２４の６０°ずつの回転を安定させるための構成を別途設ける必要がないので、それだけ、構成を簡単にすることができ、製造コストの削減と堅牢性の向上を達成することができる。なお、このような効果を得るためには、前記背面配置されたカム２５Ａ〜２５Ｃの幅Ｗが、弁体２３の直径Ｄと同程度であり、操作軸２４が弁体２３の図示斜め上に配置されていることが望ましい。
【図面の簡単な説明】
【００４５】
【図１】本発明の水栓のヘッドの一実施例を示す図である。
【図２】水栓のヘッドの正面から見た断面図である。
【図３】前記水栓のヘッドの側面から見た断面図である。
【図４】前記水栓のヘッドを上から見た断面図である。
【図５】前記水栓のヘッドの操作ハンドルと弁機構の連動を説明する図である。
【図６】前記弁機構の動作の詳細を説明する図である。
【図７】従来の水栓のヘッドの例を示す図である。
【符号の説明】
【００４６】
１    水栓のヘッド
１０Ａ〜１０Ｃ  吐水口
１１  操作レバー
１２  動作確認窓
２０Ａ〜２０Ｃ  吐水流路
２８  弁機構
２１  弁座
２２  開口
２３Ａ〜２３Ｃ  弁体
２４  操作軸
２５Ａ〜２５Ｃ  カム
２５ａ  先端部
２５ｂ  一面
２５ｃ  他面
２６Ａ〜２６Ｃ  弁体用コイルばね（弁体用弾性体）
２７  給水流路
３０  操作部
３２  レバー用コイルばね（レバー用弾性体）
３３  一方向クラッチ
３４，３５  操作ギア
３７  表示筒
４０  側壁
Ｏ    弁体の中心
Ｌ1   垂線
Ｐ    開口から離れた位置
【図１】
2005232734.tif 000003
【図２】
2005232734.tif 000004
【図３】
2005232734.tif 000005
【図４】
2005232734.tif 000006
【図５】
2005232734.tif 000007
【図６】
2005232734.tif 000008
【図７】
2005232734.tif 000009